(57)【要約】【課題】カメラの光軸のずれを防止するカメラ付き携帯端末装置を提供する。【解決手段】撮像窓４５が形成される第１ケース部材４３と、キー開口部４８が形成される第２ケース部材４４とにより構成される筺体と  撮像窓４５から画像を取り込むカメラユニット５０と、  第１ケース部材４３と第２ケース部材４４との間にてカメラユニット５０を保持固定するカメラホルダ５１と、  キー開口部４８とカメラホルダ５１との間に配され、キー開口部４８から操作面５２の露出するキー部材５３と、  カメラホルダ５１とキー部材５３との間に配され、キー部材５３の操作面５２が押圧されるとキー部材５３により押圧されるスイッチ５７と、を備え、  第１ケース部材４３とカメラホルダ５１の少なくともいずれか一方には、他方とが互いに当接する支持部を有する。【選択図】図６
2006333373.tif 000002
【特許請求の範囲】
【請求項１】
撮像窓が形成される第１ケース部材と、キー開口部が形成される第２ケース部材とにより構成される筺体と、
前記撮像窓から画像を取り込むカメラユニットと、
前記第１ケース部材と第２ケース部材との間にて前記カメラユニットを保持固定するカメラホルダと、
前記キー開口部と前記カメラホルダとの間に配され、前記キー開口部から操作面の露出するキー部材と、
前記カメラホルダと前記キー部材との間に配され、前記キー部材の操作面が押圧されると前記キー部材により押圧されるスイッチと、を備え、
前記第１ケース部材と前記カメラホルダの少なくともいずれか一方には、他方とが互いに当接する支持部を有することを特徴とするカメラ付き携帯端末装置。
【請求項２】
前記カメラユニットに電力を供給する回路基板を備え、
前記カメラホルダは、導電性を有する材料で形成され、前記カメラユニットの周囲を把持するとともに、前記回路基板の基準電位ラインに当接して電気的に接続されることを特徴とする請求項１に記載のカメラ付き携帯端末装置。
【請求項３】
前記スイッチは、前記回路基板の前記カメラホルダと当接する面の反対側の面に配されることを特徴とする請求項２に記載のカメラ付き携帯端末装置。
【請求項４】
前記カメラホルダは、第２ケース部材側端部が開放される前記カメラユニットの挿入部を有し、前記挿入部に前記第２ケース部材側から前記カメラユニットを挿入して前記カメラユニットの周囲について把持するともに
前記カメラユニットの前記第２ケース部材側端部には、前記回路基板との間に板金が取り付けられることを特徴とする請求項３に記載のカメラ付き携帯端末装置。
【請求項５】
前記第１ケース部材は、前記撮像窓の周縁に導電性部材を有し、
前記支持部は、複数個所に配され、当該支持部の少なくとも１つは、前記カメラホルダを前記第１ケース部材と前記第２ケース部材にて挟持した状態にて前記導電性部材に当接して電気的に接続されることを特徴とする請求項４に記載のカメラ付き携帯端末装置。
【請求項６】
前記筺体を第１筺体とし、当該第１筺体に開閉可能に連結される第２筺体を備え、
前記カメラホルダを、前記第１筺体と第２筺体を閉状態にした際にも露出する側面に近接させるよう、第１筺体内部で延在させるとともに、前記カメラホルダが近接する側面に第２キー開口部を形成し、
前記第２キー開口部と前記カメラホルダとの間に配され、前記第２キー開口部から操作面の露出する第２キー部材と、
前記カメラホルダと前記第２キー部材との間に配され、前記第２キー部材の操作面が押圧されると前記第２キー部材により押圧される第２スイッチとを備えることを特徴とする請求項１から４のいずれか一に記載のカメラ付き携帯端末装置。
【発明の詳細な説明】
【技術分野】
【０００１】
本発明は、カメラ付き携帯端末装置に関するものである。
【背景技術】
【０００２】
近年、携帯電話機、ＰＨＳ等の移動体通信機といった種々のカメラ付き携帯端末装置は、所望時にカメラ撮影可能に構成されており、カメラ付き携帯端末装置の一例を折り畳みタイプで示すと、カメラ付き携帯端末装置は、図１６〜図２４に示す如く、画面表示部側の第１筺体１と、操作キー側の第２筺体２とを折り畳みにより開閉可能に構成されており、画面表示部側の第１筺体１は、折り畳んだ閉状態で外側に位置する第１ケース部材３と、折り畳んだ閉状態で内側に位置する第２ケース部材４とにより形成されている。
【０００３】
第１ケース部材３は所定の撮像窓５及びサブ表示窓６を備えるとともに、第２ケース部材４は画面配置用の開口７を形成しており、第１ケース部材３と第２ケース部材４との間には、開口７に配置されるＬＣＤ（液晶ディスプレイ）モジュール８と、ＬＣＤモジュール８に接続されるＬＣＤ基板９と、ＬＣＤ基板９に接続されてサブ表示窓６に位置するサブＬＣＤモジュール１０とを、第１筺体１内の厚み方向で重ねるように配置し、内部上方（先端側）にはスピーカ１１を備え、内部下方（折り畳み側）には、撮像窓５から画像を取り込み得るよう撮像窓５に配置されるカメラユニット１２と、カメラユニット１２を保持固定するカメラホルダ１３と、カメラホルダ１３に隣接して第２ケース部材４側に位置するサブの回路基板１４とを配置している。
【０００４】
サブの回路基板１４は、図１８に示す如く、ＦＰＣ（フレキシブルプリント回路基板）１５を介してＬＣＤ基板９、カメラホルダ１３、操作キー側の筺体の基板（図示せず）に接続されるとともに、カメラホルダ１３のカメラユニット１２へ電力を供給可能に構成されている。
【０００５】
カメラホルダ１３は、第１ケース部材３と第２ケース部材４との間でＬＣＤモジュール８、ＬＣＤ基板９、サブＬＣＤモジュール１０の下方に位置するよう、第１筺体１の横方向に延在しており、カメラホルダ１３は、第２ケース部材４側からカメラユニット１２を挿入する挿入部１６を備え、挿入部１６にはカメラユニット１２の周囲を把持する構造を形成している。また、カメラホルダ１３の第１ケース部材３に向かう一面には、カメラユニット１２の一方の隣接位置にバイブレータ用のモータ部１８を配置するとともに、カメラユニット１２の他方の隣接位置にＬＥＤ（発光ダイオード）用のＦＰＣを配置する設置面１９を設けている。更に、カメラホルダ１３の第２ケース部材４（サブの回路基板１４）に向かう他面には、サブの回路基板１４に電気的に接続する接触端子部２０を備えるとともに、サブの回路基板１４に接続するコネクタ部２１を配置している。
【０００６】
また、カメラホルダ１３は、第１ケース部材３と第２ケース部材４との間で所定位置に配置されるための位置決め構造を備えており、位置決め構造は、第１ケース部材３に対応するよう、モータ部１８に形成される突起部２２と、モータ部１８の側面からＬＣＤモジュール８側へ延在する延在部２３と、設置面１９の側面に形成される屈曲部２４とを備えるとともに、サブの回路基板１４に対応するよう、カメラホルダ１３の折り畳み側の側面に形成される複数の係止部２５と、複数の係止部２５と同じ側辺の隅部に形成される１つの取付孔２６と、カメラホルダ１３のＬＣＤモジュール８側面に形成される複数の受け穴部２７とを備えている。
【０００７】
一方、第１ケース部材３は、図２４に示す如く、内側面に、モータ部１８の突起部２２に対応する対応部２８と、モータ部１８の延在部２３に対応する第１位置決め部２９と、設置面１９側の屈曲部２４に対応する第２位置決め部３０と、カメラホルダ１３の取付孔２６に対応する受け部３１と、ＬＥＤ用の窓枠３２とを備えている。
【０００８】
また、第２ケース部材４は、内側面に、サブの回路基板１４を配置する配置面（図示せず）と、サブの回路基板１４を介することなく、直接カメラホルダ１３の受け穴部２７に対応する突起部（図示せず）と、カメラホルダ１３の取付孔２６と第１ケース部材３の受け部３１とに対応する取付孔（図示せず）とを備えている。
【０００９】
第１ケース部材３と第２ケース部材４との間にカメラホルダ１３を配置する際には、第２ケース部材４に、ＬＣＤモジュール８、ＬＣＤ基板９、サブＬＣＤモジュール１０、スピーカ１１等を配置するとともに、サブの回路基板１４を配置してカメラユニット１２及びカメラホルダ１３を備え、第１ケース部材３を組み付け、ビス等の締結手段（図示せず）で第２ケース部材４の取付孔（図示せず）、カメラホルダ１３の取付孔２６、第１ケース部材３の受け部３１を締結し、カメラホルダ１３を固定している。
【００１０】
ここで、カメラホルダ１３と第１ケース部材３は、モータ部１８の突起部２２と第１ケース部材３の対応部２８、モータ部１８の延在部２３と第１ケース部材３の第１位置決め部２９、設置面１９側の屈曲部２４と第１ケース部材３の第２位置決め部３０で、夫々位置決めされている。また、カメラホルダ１３と第２ケース部材４は、受け穴部２７と突起部（図示せず）で位置決めされている。更に、カメラホルダ１３とサブの回路基板１４は、カメラホルダ１３の係止部２５により位置決めされている。
【００１１】
なお、カメラ付き携帯端末装置は種々なものがあり、その一例としては、カメラユニット１２を回転させて操作するものがある（例えば、特許文献１参照。）。
【特許文献１】特開２００５−５１４３１号公報
【発明の開示】
【発明が解決しようとする課題】
【００１２】
一方で、このようなカメラ付き携帯端末装置に対し、種々の操作を為しえるように第２ケース部材４に新たな操作用のキーを設けることが所望されていた。しかしながら、新たな操作用のキーの配置場所は、ＬＣＤモジュール８、ＬＣＤ基板９、スピーカ１１等の存在により、第２ケース部材４とカメラホルダ１３の間に限定されるとともに、カメラホルダ１３は、取付孔２６及び位置決め構造のみで支持されるため、キーを操作した場合には、キーの押圧がサブの回路基板１４を経てカメラホルダ１３に作用し、カメラの光軸にずれを生じてカメラの撮影に悪影響を及ぼすという問題があった。
【００１３】
本発明は、斯かる実情に鑑み、キー操作の押圧に抗する支持部を備えてカメラの光軸のずれを防止するカメラ付き携帯端末装置を提供しようとするものである。
【課題を解決するための手段】
【００１４】
本発明は、撮像窓が形成される第１ケース部材と、キー開口部が形成される第２ケース部材とにより構成される筺体と、
前記撮像窓から画像を取り込むカメラユニットと、
前記第１ケース部材と第２ケース部材との間にて前記カメラユニットを保持固定するカメラホルダと、
前記キー開口部と前記カメラホルダとの間に配され、前記キー開口部から操作面の露出するキー部材と、
前記カメラホルダと前記キー部材との間に配され、前記キー部材の操作面が押圧されると前記キー部材により押圧されるスイッチと、を備え、
前記第１ケース部材と前記カメラホルダの少なくともいずれか一方には、他方とが互いに当接する支持部を有することを特徴とするカメラ付き携帯端末装置にかかるものである。
【００１５】
本発明において、前記カメラユニットに電力を供給する回路基板を備え、
前記カメラホルダは、導電性を有する材料で形成され、前記カメラユニットの周囲を把持するとともに、前記回路基板の基準電位ラインに当接して電気的に接続されることが好ましい。
【００１６】
本発明において、前記スイッチは、前記回路基板の前記カメラホルダと当接する面の反対側の面に配されることが好ましい。
【００１７】
本発明において、前記カメラホルダは、第２ケース部材側端部が開放される前記カメラユニットの挿入部を有し、前記挿入部に前記第２ケース部材側から前記カメラユニットを挿入して前記カメラユニットの周囲について把持するともに
前記カメラユニットの前記第２ケース部材側端部には、前記回路基板との間に板金が取り付けられることが好ましい。
【００１８】
本発明において、前記第１ケース部材は、前記撮像窓の周縁に導電性部材を有し、
前記支持部は、複数個所に配され、当該支持部の少なくとも１つは、前記カメラホルダを前記第１ケース部材と前記第２ケース部材にて挟持した状態にて前記導電性部材に当接して電気的に接続されることが好ましい。
【００１９】
本発明において、前記筺体を第１筺体とし、当該第１筺体に開閉可能に連結される第２筺体を備え、
前記カメラホルダを、前記第１筺体と第２筺体を閉状態にした際にも露出する側面に近接させるよう、第１筺体内部で延在させるとともに、前記カメラホルダが近接する側面に第２キー開口部を形成し、
前記第２キー開口部と前記カメラホルダとの間に配され、前記第２キー開口部から操作面の露出する第２キー部材と、
前記カメラホルダと前記第２キー部材との間に配され、前記第２キー部材の操作面が押圧されると前記第２キー部材により押圧される第２スイッチとを備えることが好ましい。
【発明の効果】
【００２０】
本発明のカメラ付き携帯端末装置によれば、キー操作の押圧に抗する支持部を備えて、カメラの光軸のずれを防止することができるという優れた効果を奏し得る。
【発明を実施するための最良の形態】
【００２１】
以下、本発明の実施の形態を図面を参照して説明する。
【００２２】
図１〜図１５は本発明の実施の形態例を示すもので、図１６〜図２４と同一の符号を付した部分は同一物を表わしている。
【００２３】
本発明の形態例のカメラ付き携帯端末装置は、図１〜図１５に示す如く、画面表示部側の第１筺体４１と、操作キー側の第２筺体４２とを折り畳みにより開閉可能に構成されており、画面表示部側の第１筺体４１は、折り畳んだ閉状態で外側に位置する第１ケース部材４３と、折り畳んだ閉状態で内側に位置する第２ケース部材４４とにより形成されている。
【００２４】
第１ケース部材４３は所定の撮像窓４５及びサブ表示窓４６を備え、第２ケース部材４４は、中央に画面配置用の開口４７を形成するとともに、下方位置に第１キー開口部４８（図１では３つ）を形成し、第１ケース部材４３及び第２ケース部材４４の側面には、第１筺体４１と第２筺体４２を閉状態にした際にも露出する面に位置するよう、図３、図４に示す如く、第２キー開口部４９を形成している。
【００２５】
第１ケース部材４３と第２ケース部材４４との間には、開口７に配置されるＬＣＤ（液晶ディスプレイ）モジュール８と、ＬＣＤモジュール８に接続されるＬＣＤ基板９と、ＬＣＤ基板９に接続されてサブ表示窓４６に位置するサブＬＣＤモジュール１０とを、第１筺体４１内の厚み方向で重ねるように配置し、内部上方（先端側）にはスピーカ１１を備え、内部下方（折り畳み側）には、撮像窓４５から画像を取り込むよう撮像窓４５に配置されるカメラユニット５０と、カメラユニット５０を保持固定するカメラホルダ５１と、第１キー開口部４８に配置されて第１操作面５２を露出させるシート状の第１キー部材５３と、第２キー開口部４９に配置されて第２操作面５４を露出させる第２キー部材５５と、カメラホルダ５１と第１キー部材５３との間に配置されるサブの回路基板５６と、サブの回路基板５６に形成されて第１キー部材５３に対応する第１スイッチ５７と、サブの回路基板５６の側方に位置して第２キー部材５５に対応する第２スイッチ５８とを備えている。
【００２６】
サブの回路基板５６は、図７、図８に示す如く、ＦＰＣ（フレキシブルプリント回路基板）５９や接続部６０を介してＬＣＤ基板９、カメラホルダ５１、操作キー側の筺体の基板（図示せず）に接続されるとともに、カメラホルダ５１のカメラユニット５０へ電力を供給可能に構成されている。
【００２７】
カメラホルダ５１は、図３〜図６、図９〜図１２に示す如く、第１ケース部材４３と第２ケース部材４４との間でＬＣＤモジュール８、ＬＣＤ基板９、サブＬＣＤモジュール１０の下方に位置するよう、第１筺体４１と第２筺体４２を閉状態にした際にも露出する側面近傍まで横方向に延在しており、カメラホルダ５１は、表面が金属でメッキされた樹脂等の導電性を有する材料で形成され、カメラユニット５０を第２ケース部材４４側から挿入して周囲を把持する挿入部６１が形成されている。また、カメラホルダ５１の第１ケース部材４３に向かう一面には、カメラユニット５０の一方の隣接位置にバイブレータ用のモータ部６２を配置するとともに、カメラユニット５０の他方の隣接位置にＬＥＤ（発光ダイオード）用のＦＰＣ６３ａを配置する設置面６３を設けている。更に、カメラホルダ５１の第２ケース部材４４（サブの回路基板５６）に向かう他面には、カメラユニット５０の裏面で開放される第２ケース部材側端部６４を備え、第２ケース部材側端部６４には、サブの回路基板５６との間に位置するよう板金６５を取り付けている。また、カメラホルダ５１の第２ケース部材４４（サブの回路基板５６）に向かう他面でモータ部６２の裏面には、サブの回路基板５６に電気的に接続する接触端子部６７を備えるとともに、設置面６３の裏面にはサブの回路基板５６に接続するコネクタ部６８を配置している。ここで、コネクタ部６８は、カメラホルダ５１から延在するＦＰＣ６９を折り返した部分の外側面に構成されており、ＦＰＣ６９の折り返した内側面には、図１３、図１４に示す如く、補強板金７０を有するアルミシート７１を配置し、アルミシート７１は、グランドへ接続されるとともに、第２ケース部材側端部６４の板金６５に接続されている。
【００２８】
また、カメラホルダ５１は、第１ケース部材４３と第２ケース部材４４との間で複数個所に配される支持部を備えており、支持部は、図９、図１０に示す如く、第１ケース部材４３に対抗するよう、第１ケース部材４３側に、中央支持体７２、一方の側方支持体７３、他方の側方支持体７４であるとともに、図１１、図１２に示す如く、サブの回路基板５６を介して対抗するよう、第２ケース部材４４側に、中央受け体７５、一方の側方受け体７６、他方の側方受け体７７を構成している。
【００２９】
支持部の中央支持体７２は、図９、図１０に示す如く、カメラユニット５０の周囲に形成される突起支持部７２ａ及び当接支持面７２ｂであり、支持部の一方の側方支持体７３は、モータ部６２の上面に長方面で形成される突起支持面７３ａと、突起支持面７３ａに隣接するモータ部６２の上面支持部７３ｂと、モータ部６２の側面からＬＣＤモジュール８側へ延在する延在支持部７３ｃとからなり、支持部の他方の側方支持体７４は、第１ケース部材４３に対応するようＬＥＤ用のＦＰＣ６３ａを介して支持する設置面支持部７４ａと、設置面支持部７４ａの側方に形成されるＬ字の係止支持部７４ｂと、設置面６３より側方に位置するよう係止支持部７４ｂに隣接する側方支持面７４ｃと、設置面６３の側面に形成される当接支持部７４ｄとからなっている。
【００３０】
支持部の中央受け体７５は、図１１、図１２に示す如く、カメラユニット５０の裏面に位置する板金６５と、板金６５に隣接してＬＣＤモジュール８側面に位置する下面当接部７５ａとからなり、一方の側方受け体７６は、一方（モータ部６２側）の隅部に形成されて当接面７６ａを備える取付孔７８と、カメラユニット５０の一側方に形成される側方当接部７６ｂとからなり、他方の側方受け体７７は、他方（設置面６３側）の隅部に形成されて当接面７７ａを備える取付孔７９と、カメラユニット５０の他側方に形成される端側当接部７７ｂとからなっている。また、カメラホルダ５１の折り畳み側の側面には、サブの回路基板５６に係合する係止部７９ａを備えている。
【００３１】
一方、第１キー部材５３は、図５に示す如く、サブの回路基板５６の一面側に隣接して第２ケース部材４４側に配置されるとともに、複数の第１操作面５２（図５では３つ）を第１キー開口部４８から露出させるようシート素材により構成されており、第１キー部材５３の周囲には、第２ケース部材４４側の突起に対応する複数の係止部５３ａ（図５では３つ）を備えている。
【００３２】
第２キー部材５５は、図６に示す如く、サブの回路基板５６の側方で第１ケース部材４３及び／または第２ケース部材４４の側面内近傍に配置されるとともに、一つの第２操作面５４を第２キー開口部４９から露出させるよう構成されている。
【００３３】
第１スイッチ５７は、カメラホルダ５１と第１キー部材５３との間に位置するよう、サブの回路基板５６のカメラホルダ５１と当接する面の反対側に配置され、第１操作面５２が押圧された際には押圧されるようになっている。
【００３４】
第２スイッチ５８は、カメラホルダ５１と第２キー部材５５との間に位置するよう、サブの回路基板５６の側方に配置され、第２操作面５４が押圧された際には押圧されるようになっている。
【００３５】
第１ケース部材４３は、内側面に、カメラホルダ５１に対向する支持部を備え、第１ケース部材４３の支持部は、図１５に示す如く、カメラホルダ５１の中央支持体７２に当接して対抗する中央対向体８０と、カメラホルダ５１の側方支持体７３に当接して対向する一方の側方対向体８１と、カメラホルダ５１の側方支持体７４に当接して対向する他方の側方対向体８２と、カメラホルダ５１の両側の取付孔７８，７９に対応する２つの受け部８３，８４とを構成している。
【００３６】
第１ケース部材４３の中央対向体８０は、突起支持部７２ａに面接触して支持するケース中央当接面８０ａと、当接支持面７２ｂに当接して支持するとともに撮像窓４５の周囲に位置する複数の中央突起部８０ｂ（図１５では２つ）とからなり、第１ケース部材４３の一方の側方対向体８１は、突起支持面７３ａに面接触して支持するケース側方当接面８１ａと、上面支持部７３ｂに当接して支持するとともに突起支持面７３ａを両側から挟み込むように位置する複数の側方突起部８１ｂ（図１５では２つ）と、延在支持部７３ｃに側方から係止して支持する側方対向部８１ｃとからなり、第１ケース部材４３の他方の側方対向体８２は、設置面支持部７４ａに対するＬＥＤ用の窓枠部８２ａと、Ｌ字の係止支持部７４ｂに側方から係止して支持するとともに側方支持面７４ｃに当接して支持する辺側突起部８２ｂとからなっている。
【００３７】
ここで、撮像窓４５の周縁の表面側には、導電性部材８５が取り付けられており、また、第１ケース部材４３の内側で中央対向体８０の周辺は、ケース中央当接面８０ａ及び中央突起部８０ｂの表面が金属メッキ等にて導電性を与えられており、導電性部材８５と中央対向体８０は当接して通電状態にある。そして中央対向体８０は、ケース中央当接面８０ａを介して突起支持部７２ａと面接触するとともに、中央突起部８０ｂを介して当接支持面７２ｂと接触することにより、導電性部材８５、中央対向体８０、突起支持部７２ａ、当接支持面７２ｂは導電状態となる。すなわち、導電性部材８５に指で触れると、帯電していた静電気はカメラに飛ぶことなく、基準電位ラインにアースされる。
【００３８】
第２ケース部材４４は、内側面に、第１キー開口部４８に第１キー部材５３を配置する配置面（図示せず）と、カメラホルダ５１の取付孔７８，７９と第１ケース部材３の２つの受け部８３，８４に対応する取付孔（図示せず）とを備えている。
【００３９】
以下、本発明を実施する形態例の作用を説明する。
【００４０】
第１ケース部材４３と第２ケース部材４４との間に、第１キー部材５３、第２キー部材５５、サブの回路基板５６、カメラホルダ５１を配置する際には、第２ケース部材４４に、ＬＣＤモジュール８、ＬＣＤ基板９、スピーカ１１等を配置するとともに、第１キー開口部４８に第１キー部材５３を配置し、第２キー開口部４９に第２キー部材５５を配置し、サブの回路基板５６を介してカメラホルダ５１を配置し、第１ケース部材４３を組み付け、ビス等の締結手段（図示せず）で第２ケース部材４４の取付孔（図示せず）、カメラホルダ５１の取付孔７８，７９、第１ケース部材４３の受け部８３，８４を締結し、カメラホルダ５１を固定している。
【００４１】
ここで、カメラホルダ５１と第１ケース部材４３は、図９、図１０、図１５に示す如く、突起支持部７２ａとケース中央当接面８０ａ、当接支持面７２ｂと中央突起部８０ｂ、モータ部６２の突起支持面７３ａとケース側方当接面８１ａ、モータ部６２の上面支持部７３ｂと側方突起部８１ｂ、延在支持部７３ｃと側方対向部８１ｃ、ＬＥＤ用のＦＰＣを介する設置面支持部７４ａとＬＥＤ用の窓枠部８２ａ、Ｌ字の係止支持部７４ｂと辺側突起部８２ｂで当接して支持されている。また、カメラホルダ５１と第２ケース部材４４は、図５に示す如く、第１キー部材５３、サブの回路基板５６を介し、中央受け体７５の板金６５及び下面当接部７５ａ、側方受け体７６の当接面７６ａ及び側方当接部７６ｂ、側方受け体７７の当接面７７ａ及び端側当接部７７ｂにより当接して支持されている。
【００４２】
一方、第１キー部材５３の第１操作面５２を押圧して第１スイッチ５７を操作する際には、押圧方向の力が、第１キー部材５３、サブの回路基板５６、カメラホルダ５１に作用し、カメラホルダ５１の支持部と第１ケース部材４３の支持部との当接により、当該当接方向でスイッチの押圧方向に抗している。また、第２キー部材５５の第２操作面５４を押圧して第２スイッチ５８を操作する際には、押圧方向の力が、第２キー部材５５、サブの回路基板５６、カメラホルダ５１に作用し、同様に、カメラホルダ５１の支持部及び第１ケース部材４３の支持部の当接によりスイッチの押圧方向に抗している。
【００４３】
このように、本発明を実施する形態例のカメラ付き携帯端末装置によれば、第１ケース部材４３とカメラホルダ５１の少なくともいずれか一方には、第１スイッチ５７の押圧方向に抗する方向に第１ケース部材４３とカメラホルダ５１とが互いに当接する支持部を有するので、第１キー部材５３の第１操作面５２を押圧することにより、第１スイッチ５７、サブの回路基板５６を介しカメラホルダ５１を押圧した場合であっても、カメラの光軸のずれを防止し、カメラの撮影を好適に維持することができる。また、支持部は、カメラホルダ５１を、中央、一方の側方、他方の側方で支持するので、安定的に支持することができる。
【００４４】
本発明の形態例において、カメラユニット５０に電力を供給するサブの回路基板５６を備え、カメラホルダ５１は、導電性を有する材料で形成され、カメラユニット５０の周囲を把持するとともに、サブの回路基板５６の基準電位ラインに当接して電気的に接続されると、第１スイッチ５７の操作等により静電気を生じた場合であっても、シールド効果を生じるので、サブの回路基板５６やカメラユニット５０への静電気の影響を排除し、カメラの撮影を好適に維持することができる。
【００４５】
本発明の形態例において、第１スイッチ５７は、サブの回路基板５６のカメラホルダ５１と当接する面の反対側の面に配されると、第１スイッチ５７の操作等により静電気を生じた場合であっても、シールド効果を生じるので、サブの回路基板５６への静電気の影響を排除し、カメラの撮影を好適に維持することができる。
【００４６】
本発明の形態例において、カメラホルダ５１は、第２ケース部材側端部６４を開放されるカメラユニット５０の挿入部６１を有し、挿入部６１に第２ケース部材４４側からカメラユニット５０を挿入してカメラユニット５０の周囲について把持するともに、カメラユニット５０の第２ケース部材側端部６４には、サブの回路基板５６との間に板金６５が取り付けられると、カメラホルダ５１の挿入部６１が設けられていても、板金６５とを備えてカメラユニット５０を安定的に支持するので、第１キー部材５３の第１操作面５２を押圧することによりカメラホルダ５１を押圧した場合であっても、カメラの光軸のずれを防止し、カメラの撮影を好適に維持することができる。
【００４７】
本発明の形態例において、第１ケース部材４３は、撮像窓４５の周縁に導電性部材８５を有し、支持部は複数個所に配され、支持部の少なくとも１つは、カメラホルダ５１を第１ケース部材４３と第２ケース部材４４にて挟持した状態にて導電性部材８５に当接して電気的に接続されると、第１スイッチ５７の操作等により静電気を生じた場合であっても、シールド効果を生じるので、サブの回路基板５６への静電気の影響を排除し、カメラの撮影を好適に維持することができる。また、支持部は複数個所に配されてカメラホルダ５１を一層安定的に支持するので、第１キー部材５３の第１操作面５２を押圧することによりカメラホルダ５１を押圧した場合であっても、カメラの光軸のずれを防止し、カメラの撮影を好適に維持することができる。
【００４８】
本発明を実施する形態例のカメラ付き携帯端末装置によれば、カメラホルダ５１は、支持部により、第２スイッチ５８の押圧方向に抗するよう構成されるので、第２キー部材５５の第２操作面５４を押圧することにより、第２スイッチ５８、サブの回路基板５６を介しカメラホルダ５１を押圧した場合であっても、カメラの光軸のずれを防止し、カメラの撮影を好適に維持することができる。
【００４９】
尚、本発明のカメラ付き携帯端末装置は、上述の図示例にのみ限定されるものではなく、第１キー部材の押圧があってもカメラホルダを安定的に支持するものならば他の構成でも良いこと、その他、本発明の要旨を逸脱しない範囲内において種々変更を加え得ることは勿論である。
【図面の簡単な説明】
【００５０】
【図１】本発明を実施する形態の一例であって第１筺体と第２筺体を開いた状態を示す概念図である。
【図２】本発明を実施する形態の一例であって第１筺体と第２筺体を閉じた状態を示す概念図である。
【図３】カメラホルダ等を第１カバー部材に備えた状態を示す斜視図である。
【図４】カメラホルダ等を第２カバー部材に備えた状態を示す斜視図である。
【図５】第１スイッチ部材からサブの回路基板及びカメラホルダへの押圧方向を示す概念図である。
【図６】第１カバー部材と第２カバー部材との間に第１スイッチ部材、サブの回路基板、カメラホルダを配置した際の断面図である。
【図７】ＬＣＤ回路基板とサブの回路基板の関係を示す斜視図である。
【図８】ＬＣＤ回路基板とサブの回路基板の関係を示す側面図である。
【図９】カメラホルダの一面を一方の方向から示す斜視図である。
【図１０】カメラホルダの一面を他方の方向から示す斜視図である。
【図１１】カメラホルダの他面を一方の方向から示す斜視図である。
【図１２】カメラホルダの他面を他方の方向から示す斜視図である。
【図１３】カメラホルダにアルミシートと補助板金を配置する前の状態を示す概念図である。
【図１４】カメラホルダにアルミシートと補助板金を配置する後の状態を示す概念図である。
【図１５】第１カバー部材の内面側を示す図である。
【図１６】従来のカメラ付携帯端末装置であって第１筺体と第２筺体を開いた状態を示す概念図である。
【図１７】従来のカメラ付携帯端末装置であって第１筺体と第２筺体を閉じた状態を示す概念図である。
【図１８】従来のカメラホルダ等を第１カバー部材に備えた状態を示す斜視図である。
【図１９】従来のカメラホルダ等を第２カバー部材に備えた状態を示す斜視図である。
【図２０】従来のカメラホルダの一面を一方の方向から示す斜視図である。
【図２１】従来のカメラホルダの一面を他方の方向から示す斜視図である。
【図２２】従来のカメラホルダの他面を一方の方向から示す斜視図である。
【図２３】従来のカメラホルダの他面を他方の方向から示す斜視図である。
【図２４】従来の第１カバー部材の内面側を示す図である。
【符号の説明】
【００５１】
４１    第１筺体
４２    第２筺体
４３    第１ケース部材
４４    第２ケース部材
４５    撮像窓
４８    第１キー開口部（キー開口部）
４９    第２キー開口部（キー開口部）
５０    カメラユニット
５１    カメラホルダ
５２    第１操作面（操作面）
５３    第１キー部材（キー部材）
５４    第２操作面（操作面）
５５    第２キー部材（キー部材）
５６    サブの回路基板
５７    第１スイッチ（スイッチ）
５８    第２スイッチ（スイッチ）
６４    第２ケース部材側端部
６５    板金
６６    基準電位ライン
７１    アルミシート
７２    中央支持体（支持部）
７３    一方の側方支持体（支持部）
７４    他方の側方支持体（支持部）
７５    中央受け体（支持部）
７６    一方の側方受け体（支持部）
７７    他方の側方受け体（支持部）
８０    中央対向体（支持部）
８１    側方対向体（支持部）
８２    側方対向体（支持部）    
８５    導電性部材
【図１】
2006333373.tif 000003
【図２】
2006333373.tif 000004
【図３】
2006333373.tif 000005
【図４】
2006333373.tif 000006
【図５】
2006333373.tif 000007
【図６】
2006333373.tif 000008
【図７】
2006333373.tif 000009
【図８】
2006333373.tif 000010
【図９】
2006333373.tif 000011
【図１０】
2006333373.tif 000012
【図１１】
2006333373.tif 000013
【図１２】
2006333373.tif 000014
【図１３】
2006333373.tif 000015
【図１４】
2006333373.tif 000016
【図１５】
2006333373.tif 000017
【図１６】
2006333373.tif 000018
【図１７】
2006333373.tif 000019
【図１８】
2006333373.tif 000020
【図１９】
2006333373.tif 000021
【図２０】
2006333373.tif 000022
【図２１】
2006333373.tif 000023
【図２２】
2006333373.tif 000024
【図２３】
2006333373.tif 000025
【図２４】
2006333373.tif 000026